(57)【要約】【課題】  利用者の好みやニーズに応じた形態で利用者に写真を提供することができる写真自動販売装置、写真自動販売方法及びコンピュータプログラムを提供する。【解決手段】  利用者を含む被写体を撮影して撮影画像を得るカメラ１６１と、撮影画像を表示するタッチパネル１６２，１７１，１７２と、撮影画像を編集して編集画像を作成するタッチパネル１７１，１７２と、編集画像等の印刷を行うプリンタ１８２とを備えた写真自動販売装置１０において、出力制御装置１８０によって、印刷及び外部装置への画像データの送信の双方を行うデュアルモードと、送信のみを行うシングルモードとを切り換える。【選択図】  図８
2013106257.tif 000002
【特許請求の範囲】
【請求項１】
利用者を含む被写体を撮影して撮影画像を得る撮影手段と、
前記撮影画像を編集して編集画像を得る編集手段と、
印刷媒体への前記撮影画像又は前記編集画像の印刷を行う印刷手段と、
外部装置への前記撮影画像又は前記編集画像の画像データの送信を行う送信手段と、
前記印刷及び前記送信の双方を行うデュアルモードと前記送信のみを行うシングルモードとを切り換える制御手段と、
を備えていることを特徴とする写真自動販売装置。
【請求項２】
前記制御手段は、利用者が支払う対価の額に応じて、前記デュアルモードと、前記シングルモードとを切り換える、請求項１に記載の写真自動販売装置。
【請求項３】
外部装置に対する撮影画像又は編集画像の画像データの送信を管理する管理手段をさらに備えている、請求項１又は２に記載の写真自動販売装置。
【請求項４】
前記管理手段は、外部装置への撮影画像又は編集画像の画像データの送信回数を管理する、請求項３に記載の写真自動販売装置。
【請求項５】
前記送信手段は、サーバへの前記撮影画像又は前記編集画像の画像データのアップロードを行うデータアップロード手段を含む、請求項１〜４のいずれかに記載の写真自動販売装置。
【請求項６】
アップロードされた撮影画像若しくは編集画像の識別情報及び／又は当該撮影画像若しくは編集画像の画像データの所在場所の情報を出力する情報出力手段をさらに備えている、請求項５に記載の写真自動販売装置。
【請求項７】
前記情報出力手段は、前記シングルモード実行時に、前記識別情報及び／又は前記所在場所の情報を前記デュアルモード実行時に得られる印刷物における印刷内容とは異なる印刷内容で前記印刷手段又はこの印刷手段とは異なる印刷手段に印刷させる、請求項６に記載の写真自動販売装置。
【請求項８】
利用者を含む被写体の撮影を行う工程と、
前記撮影工程で得られた撮影画像を編集して編集画像を作成する工程と、
利用者の選択により、前記編集画像若しくは前記撮影画像の印刷と、外部装置への前記編集画像若しくは前記撮影画像の画像データの送信との双方を行うか、又は前記送信のみを行う工程と、
を含むことを特徴とする写真自動販売方法。
【請求項９】
コンピュータに、請求項８に記載の写真自動販売方法を実行させるコンピュータプログラム。
【発明の詳細な説明】
【技術分野】
【０００１】
本発明は、写真自動販売装置、写真自動販売方法及びコンピュータプログラムに関する。さらに詳しくは、本発明は、利用者を含む被写体をカメラで撮影した撮影画像や、この撮影画像に基づいて生成される編集画像を写真シール等として利用者に提供する写真自動販売装置、写真自動販売方法及びコンピュータプログラムに関する。
【背景技術】
【０００２】
従来、利用者を含む被写体をカメラで撮影し、その撮影画像や、この撮影画像に基づいて生成される編集画像を印刷し、写真シールとして利用者に提供する遊戯用の写真自動販売装置が知られている。
かかる遊戯用の写真自動販売装置としては、例えば、利用者の遊戯性及び娯楽性を高めるため、利用者によってタッチペンで入力される手書きの文字又は図形からなる線画像や予め用意されたフレーム画像、スタンプ画像等を、複数の撮影画像に合成する編集入力の機能を有する装置が挙げられる。
【０００３】
また、かかる写真自動販売装置として、編集画像を写真シールとして利用者に提供する機能に加えて、編集終了後の写真シールの印刷待ち時間等に、編集画像を利用者の携帯端末に送信する機能を有する装置が提案されている（例えば、特許文献１を参照）。
【先行技術文献】
【特許文献】
【０００４】
【特許文献１】特開２０１０-１５４４５２号公報
【発明の概要】
【発明が解決しようとする課題】
【０００５】
ところが、近年の携帯端末の普及や利用者のニーズの変化に伴って、写真シールを必要とせず、画像データの提供のみを必要とする利用者が増える傾向がある。
したがって、このような利用者のニーズに十分に応えることができ、利用者の満足度を高めることができる写真自動販売装置が求められている。
【０００６】
本発明は、このような事情に鑑みてなされたものであり、利用者の好みやニーズに応じた形態で利用者に写真を提供することができる写真自動販売装置、写真自動販売方法及びコンピュータプログラムを提供することを目的とする。
【課題を解決するための手段】
【０００７】
本発明の写真自動販売装置（以下、本明細書において、「写真自販装置」という）は、利用者を含む被写体を撮影して撮影画像を得る撮影手段と、前記撮影画像を編集して編集画像を得る編集手段と、印刷媒体への前記撮影画像又は前記編集画像の印刷を行う印刷手段と、外部装置への前記撮影画像又は前記編集画像の画像データの送信を行う送信手段と、前記印刷及び前記送信の双方を行うデュアルモードと前記送信のみを行うシングルモードとを切り換える制御手段と、を備えていることを特徴とする。
【０００８】
本発明の写真自販装置では、制御手段が、デュアルモードと、シングルモードとを切り換える。
ここで、デュアルモード実行時には、印刷手段が、編集画像を印刷媒体に印刷するとともに、送信手段が画像データをサーバ、携帯端末等の外部装置に送信する。この場合、利用者は、編集画像を、当該編集画像が印刷された写真カード、写真シール等及び画像データとして取得することができる。また、シングルモード実行時には、送信手段が画像データを外部装置に送信する。この場合、利用者は、編集画像を画像データとして取得することができる。
したがって、本発明の写真自販装置によれば、利用者の好みやニーズに応じて、写真の提供形態を選ぶことができるので、利用者の満足感を高めることができる。
【０００９】
前記制御手段は、利用者が支払う対価の額に応じて、デュアルモードと、シングルモードとを切り換えるものであってもよい。
この場合、利用者が支払う対価の額によって、利用者への写真の提供形態等のサービスを変更することが可能になる。
【００１０】
本発明の写真自販装置は、外部装置に対する撮影画像又は編集画像の画像データの送信を管理する管理手段をさらに備えていてもよい。
管理手段は、外部装置への撮影画像又は編集画像の画像データの送信回数を管理するものであることが好ましい。
従来、写真自販装置の供給者は、写真自販装置を、遊戯場運営業者に供給する場合、当該業者には、写真自販装置で使用される印刷媒体の量に応じて、その使用料が課されている。
ところが、画像データは無形物であるため、編集画像を画像データとしてのみ利用者に提供する場合には、遊戯場運営業者に使用料を課する基準があいまいとなりやすく、使用料の徴収が困難になるおそれがある。
これに対し、かかる管理手段を備えた写真自販装置によれば、外部装置への前記編集画像の画像データの送信（例えば、サーバへのアップロード、携帯端末への送信）を管理することができるので、編集画像を画像データとして利用者に提供する場合であっても、写真自販装置の供給者は、遊戯場運営業者に課する使用料を容易に算出することができる。
【００１１】
送信手段は、サーバへの撮影画像又は編集画像の画像データのアップロードを行うデータアップロード手段を含んでいてもよい。
また、本発明の写真自販装置は、アップロードされた撮影画像若しくは編集画像の識別情報及び／又は当該撮影画像若しくは編集画像の画像データの所在場所の情報を出力する情報出力手段をさらに備えていてもよい。
情報出力手段は、シングルモード実行時に、識別情報及び／又は所在場所の情報をデュアルモード実行時に得られる印刷物における印刷内容とは異なる印刷内容で印刷手段又はこの印刷手段とは異なる印刷手段に印刷させてもよい。
【００１２】
本発明の写真自動販売方法は、利用者を含む被写体の撮影を行う工程と、撮影工程で得られた撮影画像を編集して編集画像を作成する工程と、利用者の選択により、編集画像若しくは撮影画像の印刷と、外部装置への編集画像若しくは撮影画像の画像データの送信との双方を行うか、又は前記送信のみを行う工程と、を含むことを特徴とする。
本発明の写真自動販売方法によれば、利用者の選択により、印刷及び送信の双方を行うか、又は送信のみを行うため、前述の写真自販装置と同様の作用効果を奏する。
【００１３】
本発明のコンピュータプログラムは、コンピュータに、前述した写真自動販売方法を実行させることを特徴とする。
本発明のコンピュータプログラムによれば、コンピュータに、利用者の選択により、印刷及び送信の双方を行わせるか、又は送信のみを行わせることができるため、前述の写真自販装置と同様の作用効果を奏する。
【発明の効果】
【００１４】
本発明の写真自販装置、写真自動販売方法及びコンピュータプログラムによれば、利用者の好みやニーズに応じた形態で利用者に写真を提供することができる。
【図面の簡単な説明】
【００１５】
【図１】本発明の一実施形態に係る写真自販装置を含む写真自動販売システムの概略説明図である。
【図２】（ａ）は本発明の一実施形態に係る写真自販装置の側面図、（ｂ）は同装置の平面図である。
【図３】撮影ユニットの正面図である。
【図４】撮影操作用のタッチパネルの画面構成図である。
【図５】編集ユニットの正面図である。
【図６】編集操作用のタッチパネルの右側の入力領域の画面構成図である。
【図７】出力ユニットの正面図である。
【図８】図１に示される写真自販装置１０の機能構成を示すブロック図である。
【図９】図１に示されるサーバ２０の機能構成を示すブロック図である。
【図１０】撮影処理の手順を示すフローチャートである。
【図１１】編集処理の手順を示すフローチャートである。
【図１２】出力処理の手順を示すフローチャートである。
【図１３】写真カードの構成を示す概略説明図である。
【図１４】印刷物の構成を示す概略説明図である。
【図１５】画像取得処理の手順を示すフローチャートである。
【図１６】変形例に係る出力処理の手順を示すフローチャートである。
【発明を実施するための形態】
【００１６】
［写真自動販売システムの全体構造］
以下、添付図面を参照しつつ、本発明の実施形態について説明する。
図１は、本発明の一実施形態に係る写真自販装置を含む写真自動販売システムの概略説明図である。
写真自動販売システム１は、撮影を行い、得られた撮影画像から編集画像を作成する写真自販装置１０と、インターネット等の公衆通信回線に接続されたネットワークＮＷを介して写真自販装置１０からアップロードされる編集画像の画像データを記憶するサーバ２０と、サーバ２０からネットワークＮＷを介して画像データを取得可能な携帯端末３０とを備えている。
【００１７】
［写真自販装置の構造］
（全体構造）
図２（ａ）は本発明の一実施形態に係る写真自販装置１０の側面図、図２（ｂ）は同装置１０の平面図である。また、図３は撮影ユニット１３の正面図、図４は撮影操作用のタッチパネル１２０の画面構成図、図５は編集ユニット１４の正面図、図６は編集操作用のタッチパネル４００の右側の入力領域４００Ｒの画面構成図、図７は出力ユニット１５の正面図である。
【００１８】
図２に示されるように、写真自販装置１０は、利用者Ｕが入室可能な撮影室１２と、利用者Ｕの撮影と背景画像や前景画像の選択を受け付け可能な撮影ユニット１３とを備えている。
また、写真自販装置１０は、利用者Ｕによる落書き（描画操作）を含む編集入力を受け付けて、撮影画像に合成した画像（編集画像）を生成する編集ユニット１４と、編集画像を出力する出力ユニット１５とを備えている。
【００１９】
撮影室１２は、前後方向（図２（ａ）の左右方向）に長い直方体状のフレーム構造を有する。この撮影室１２の前部には、撮影ユニット１３が配置されている。撮影室１２の左右方向（図２（ｂ）の上下方向）の両側面には、それぞれ利用者Ｕが出入りする開口部と、この開口部の一部又は全部を覆う遮光カーテン（図示せず）が設けられている。
また、撮影室１２の後部には、電動ロール式のカーテン装置１２５が配置されている。撮影室１２内の撮影ユニット１３とカーテン装置１２５の間の空間（撮影操作用のタッチパネル１２０の前側の空間）は、利用者Ｕの撮影を行う撮影空間を構成している。
【００２０】
編集ユニット１４は、カーテン装置１２５の背面に接続された筐体を備えている。この筐体の幅方向両側には、２人組の利用者Ｕがそれぞれ一緒に編集入力を行うことができるタッチパネル４００が設けられている。この編集ユニット１４の各タッチパネル４００の前側の空間は、利用者Ｕが編集作業を行う編集空間を構成している。この編集空間は、カーテン装置１２５を挟んで撮影空間とは異なる位置に設けられている。
【００２１】
（撮影ユニットの構造）
撮影ユニット１３は、図２及び図３に示されるように、利用者Ｕを撮影するカメラ１１０と、カメラ１１０の上下左右の位置に配置された複数のストロボ１１１，１１２，１１３Ｌ，１１３Ｒ，１１４と、カメラ１１０の下方に配置された、利用者Ｕの操作の受け付けや撮影画像の表示等を行う撮影操作用のタッチパネル１２０とを備えている。また、撮影ユニット１３には、その前面下方にコイン投入口１２６（図３参照）が設けられている。
【００２２】
カメラ１１０は、例えば、ＣＣＤ（電荷結合素子）を利用してデジタル画像信号を生成するデジタルカメラからなる。このカメラ１１０は、利用者Ｕの撮影によって取得したデジタル画像信号を出力する。各ストロボ１１１〜１１４は、カメラ１１０のシャッター時に利用者Ｕに閃光を発する。
【００２３】
タッチパネル１２０は、撮影作業の際に、利用者Ｕによる各種の操作を受け付けるための操作画面を提供する。また、タッチパネル１２０は、カメラ１１０が取得したデジタルの動画映像をリアルタイムで表示することもできる。
このタッチパネル１２０は、図４に示されるように、撮影作業の際にリアルタイムの動画映像を表示するプレビュー領域１２１と、ポーズの見本を表示するための第１表示領域１２２と、撮影によって得られた撮影画像を表示するための第２表示領域１２３とを有する。
【００２４】
撮影ユニット１３は、パーソナルコンピュータ等から構成された撮影制御装置と、編集及び出力ユニット１４，１５と通信を行うためのネットワークアダプタとを内蔵している。
【００２５】
（編集ユニットの構造）
編集ユニット１４は、図２（ｂ）に示されるように、２つのユニット１４ａ，１４ｂに分かれている。これにより、例えば、２人組である２組の利用者Ｕが同時に並行してプレイすることができる。
２つのユニット１４ａ，１４ｂは、図２（ｂ）及び図５に示されるように、互いに対面した所定高さの傾斜した作業面を有する。この作業面に、落書き領域やその落書きのためのメニュー又はツールを表示する領域を含む編集操作用のタッチパネル４００と、タッチパネル４００へのタッチ操作に使用するタッチペン１４９Ｌ，１４９Ｒが設けられている。編集操作用のタッチパネル４００は、２人の利用者Ｕが同時に落書きを行えるように、左右対称の画面構成となっている（図５の４００Ｌ，４００Ｒ）。
各入力領域４００Ｌ，４００Ｒには、それぞれ、落書き部４０１、タブ４０２によるメニュー切り替えが可能なパレット部４０３、モード選択部４０４及びコマンド選択部４０５が配置されている（図６参照）。
以下、図６を参照しつつ、編集操作用のタッチパネル４００の右側の入力領域４００Ｒを例として挙げて、上記各部の構成及び機能を説明する。
落書き部４０１は、入力領域４００Ｒにおける中央部から上縁部に渡る部分を占めており、撮影ユニット１３から取得した撮影画像が表示される。
パレット部４０３の内部には、複数種類のスタンプ画像やフレーム画像などの撮影画像に対して合成可能な貼り付け画像が多数表示されている。利用者Ｕは、これらの貼り付け画像のなかから、所望の貼り付け画像をペン先でタッチしてから、撮影画像の所定位置にペン先をタッチすることにより、撮影画像に貼り付け画像を合成することができる。
パレット部４０３のタブ４０２には、「ネオン」、「ハート」、「星・キラリ」などの利用者Ｕの嗜好に沿った複数のアイテムがある。これにより、利用者Ｕが所望のアイテムをペン先でタッチすると、パレット部４０３の内部に配列される貼り付け画像の種類が、当該アイテムの趣旨に沿って予め収集された貼り付け画像に切り替わるようになっている。
モード選択部４０４には、複数種類のモード選択ボタンが配列されており、本実施形態では、「ペン」、「スタンプ」、「もじ」、「オススメ」及び「カラー」のモード選択ボタンが用意されている。
このうち、例えば、「スタンプ」の選択ボタンは、タッチペン１４９Ｒで貼り付けるスタンプの種類をパレット部４０３に表示させるボタンである。かかる「スタンプ」の選択ボタンをタッチペン１４９Ｒのペン先でタッチし、ついで、「まきつきスタンプ」を選択した場合、図６に示されるように、人物の周縁部にまきつくようなスタンプ（図中、４１１参照）を撮影画像に合成することができる。
コマンド選択部４０５には、上から順に、「終わり」、「リセット」、複数サイズの「消しゴム」、「囲み消しゴム」（丸い矢印が記されたボタン）、「進む」及び「戻る」の各ボタンが設けられている。
このうち、「終わり」は、タッチペン１４９Ｒによる編集入力を強制終了させるボタンであり、「リセット」は、撮影画像に対して行った編集入力をすべて取り消すためのボタンである。
「消しゴム」は、タッチペン１４９Ｒによるペン入力を線消去のための消しゴム入力に変換するボタンであり、「囲み消しゴム」は、ペン先で囲んだ個所の線や合成画像を消去するボタンである。また、「戻す」は、タッチペン１４９Ｒの編集入力を１つ取り消すボタンであり、「進む」は当該「戻す」処理による取り消しを戻すボタンである。
【００２６】
編集ユニット１４は、パーソナルコンピュータ等から構成された編集制御装置と、撮影及び出力ユニット１３，１５と通信を行うためのネットワークアダプタとを内蔵している。
【００２７】
（出力ユニットの構造）
図２及び図７に示すように、出力ユニット１５は、出力操作用のタッチパネル１３０と、その下方に配置された非接触の通信ポート１３１とを備えている。
通信ポート１３１の下方には、非接触通信の際に必要な操作方法や効果音等を音声によって利用者Ｕに知らせるスピーカ１３２が設けられている。
このスピーカ１３２の下方には、写真カード、写真シール、印刷物等を取り出す取出口１３３が設けられている。
さらに、出力ユニット１５には、図２（ａ）及び（ｂ）に示されるように、編集画像を写真カード、写真シール等として印刷するか、或いは編集画像の識別情報、編集画像の画像データの所在場所の情報等を印刷するための印刷手段としてのネットワークプリンタ１３５が内蔵されている。
【００２８】
出力操作用のタッチパネル１３０は、上記通信機能を備えた携帯端末に送信するのに必要な各種操作を受け付けるための、操作画面を提供する。
なお、出力操作用のタッチパネル１３０が設けられていない装置の場合には、編集ユニット１４のタッチパネル４００で同様の各種の操作を行わせるようにしてもよい。
【００２９】
通信ポート１３１は、例えば、携帯電話機等の携帯端末の赤外線ポートと近距離でかつ非接触の通信が可能なポートである。
この通信ポートは、編集画像の識別情報、編集画像の画像データの所在場所の情報等を、利用者Ｕの携帯端末に送信することができる。
なお、通信ポート１３１は、電波を使用したフェリカ（登録商標）等の非接触通信方式の通信ポートであってもよい。
【００３０】
出力ユニット１５には、パーソナルコンピュータ等から構成された出力制御装置と、撮影及び編集ユニット１３，１４と通信を行うためのネットワークアダプタが内蔵されている。
【００３１】
［写真自販装置の機能構成］
図８は、図１に示される写真自販装置１０の機能構成を示すブロック図である。
写真自販装置１０は、図８に示されるように、利用者Ｕを撮影する処理（撮影処理）を行うための撮影処理部１６と、編集対象の画像に対する利用者Ｕの操作に応じて画像処理を行うための編集処理部１７と、編集が行われた後の編集画像を写真シール等として印刷したり、編集画像の識別情報、編集画像の画像データの所在場所の情報等をメールの送信、非接触通信、ディスプレイ表示等で出力したりする出力処理を行うための出力処理部１８とを備える。
【００３２】
撮影処理部１６は、撮影制御装置１６０と、カメラ１６１と、撮影操作用のタッチパネル１６２と、ストロボ１６３と、ネットワークアダプタ１６４とから構成されている。
編集処理部１７は、編集制御装置１７０と、編集操作用のタッチパネル１７１，１７２と、ネットワークアダプタ１７３とから構成されている。
出力処理部１８は、出力制御装置１８０と、出力操作用のタッチパネル１８１と、プリンタ１８２と、スピーカ１８３と、非接触通信装置１８４と、ネットワークアダプタ１８５と、アップロード管理装置１８７とから構成されている。
【００３３】
ネットワークアダプタ１６４，１７３，１８５は、ローカルエリアネットワーク（ＬＡＮ）１９を介してそれぞれ相互に通信可能となっている。
【００３４】
撮影制御装置１６０は、ＣＰＵ、メモリ、フレームバッファ、補助記憶装置、Ｉ／Ｏ制御装置、課金管理装置、タイマー等から構成される。
【００３５】
カメラ１６１（図２のカメラ１１０に対応）は、映像データをリアルタイムに取り込んで撮影制御装置１６０に出力する。このとき、撮影制御装置１６０は、シャッター動作の時点の映像データ（静止画データ）を撮影画像とし、内部のメモリに一時的に記憶する。
また、撮影制御装置１６０は、カメラ１６１から得られる映像データを、撮影操作用のタッチパネル１６２に常時供給する。これにより、利用者Ｕの現況がリアルタイムに表示される。
【００３６】
タッチパネル１６２（図２のタッチパネル１２０に対応）は、撮影画像に合成する背景画像又は前景画像を選択する操作、写真のレイアウト選択のための操作及びシャッター操作等の入力を受け付け、入力された操作信号を撮影制御装置１６０に送る。このタッチパネル１６２からの操作信号に基づいて、撮影制御装置１６０は、その操作信号に対応する所定の処理を実行する。
【００３７】
タッチパネル１６２にシャッター操作の入力があると、撮影制御装置１６０は、数秒程度の予め決められた時間の経過後にカメラ１６１をシャッター動作させるとともに、ストロボ１６３（図３のストロボ１１１〜１１４に対応）を閃光させる。
ストロボ１６３は、撮影制御装置１６０の内部のＩ／Ｏ制御装置によって、点灯、消灯及び調光が制御される。
撮影制御装置１６０は、メモリに格納されたプログラムをＣＰＵが実行することで、撮影処理に関する全体の制御を行う。
【００３８】
撮影制御装置１６０の内部の課金管理装置は、利用者Ｕが選択したコースに対する対価の額に応じて投入されたコインを検出したコイン検出部（図示せず）から、投入されたコインの数に対応する検出信号を受領する。そして、撮影制御装置１６０は、検出信号に基づいて、利用者が選択したコースに応じた額のコインが投入されたか否かを判定するとともに、撮影処理部１６における撮影処理を開始させる。
撮影制御装置１６０の内部の課金管理装置は、撮影処理の開始された場合、選択されたコースに対応する出力信号を、ネットワークアダプタ１６４を介して、出力処理部１８の出力制御装置１８０に送信する。
【００３９】
また、撮影制御装置１６０は、複数の撮影画像をすべて編集対象の画像としてフレームバッファに書き込み、タッチパネル１６２に表示させる。
さらに、撮影制御装置１６０は、所定の背景画像や前景画像の選択入力があった場合は、それらを撮影画像に合成した合成画像（二次画像）を生成し、この二次画像についても、フレームバッファに書き込んで、タッチパネルに表示させる。
撮影制御装置１６０は、フレームバッファに書き込んだ撮影画像（前記二次画像を含む。以下、同様）を、ネットワークアダプタ１６４を介して、編集処理部１７の編集制御装置１７０に送信する。
【００４０】
編集制御装置１７０は、ＣＰＵ、メモリ、フレームバッファ、補助記憶装置、タイマー等から構成される。
編集制御装置１７０は、メモリに格納されたプログラムをＣＰＵが実行することで、編集処理に関する全体の制御を行う。
【００４１】
編集制御装置１７０は、例えば、撮影制御装置１６０から受信した撮影画像に対する編集処理の入力信号に基づいて、編集対象の画像に対する編集画像を生成する。
生成された編集画像は、利用者Ｕの指示に応じて、タッチパネル１７１，１７２（図４のタッチパネル４００）に表示される。上記のような編集画像の生成が終了すると、生成された編集画像は出力ユニット１５に送信される。なお、プリンタ１８２が別の編集画像等を出力中である場合には、その旨がタッチパネル１７１，１７２に表示されるとともに、その終了を待って送信される。
【００４２】
出力制御装置１８０は、ＣＰＵ、メモリ、フレームバッファ、補助記憶装置、タイマー等から構成される。
出力制御装置１８０は、メモリに格納されたプログラムをＣＰＵが実行することで、出力処理に関する全体の制御を行う。
この出力制御装置１８０は、編集制御装置１７０から受信した編集画像の画像データをメモリに格納する。
また、出力制御装置１８０は、撮影制御装置１６０から受信した出力信号に基づいて、編集画像の印刷及び外部装置としてのサーバ２０への編集画像の画像データのアップロードの双方を行うデュアルモードと、アップロードのみを行うシングルモードとの切り換えを行うように出力処理部１８における出力処理を制御する。
【００４３】
出力制御装置１８０は、シングルモードに対応する出力信号を受領した場合、ネットワークアダプタ１８５を介して画像データをサーバ２０にアップロードする。ここでは、出力制御装置１８０は、データアップロード手段として機能する。さらに、出力制御装置１８０は、サーバ２０から編集画像の識別情報、編集画像の画像データの所在場所の情報等を取得し、プリンタ１８２（図２のネットワークプリンタ１３５に対応）に送信する。ここでは、出力制御装置１８０は、情報出力手段として機能する。
この場合、プリンタ１８２は、所定の用紙に前記識別情報、前記所在場所の情報等を印刷する。
【００４４】
一方、出力制御装置１８０は、デュアルモードに対応する出力信号を受領した場合、このメモリに格納された編集画像の画像データを、プリンタ１８２に送信するとともに、ネットワークアダプタ１８５を介してサーバ２０にアップロードする。また、出力制御装置１８０は、前記と同様に、サーバ２０から前記識別情報、前記所在場所の情報等を取得し、プリンタ１８２に送信する。
この場合、プリンタ１８２は、写真カード用紙、写真シール用紙等の写真用紙に編集画像、前記識別情報、前記所在場所の情報等を印刷する。
【００４５】
また、出力制御装置１８０は、編集を終えた利用者Ｕが出力操作を始めるまでの間、補助記憶装置に予め記憶されたデモ画像（デモンストレーション用の画像）を、フレームバッファに書き込むことによってタッチパネル１８１に表示させる。
スピーカ１８３（図８のスピーカ１３２に対応）は、タッチパネル１８１に表示される操作画面と連動して操作方法を利用者Ｕに説明する。また、スピーカ１８３は、デモ画像に応じた楽曲を流す。なお、入力操作方法の説明や楽曲等は補助記憶装置としてのハードディスク等に予め格納されている。
【００４６】
印刷された写真カード、写真シール等は、出力ユニット１５の正面下方に設けられた取出口１３３に排出される。
【００４７】
アップロード管理装置１８７は、アップロード回数を管理する。このアップロード回数は、１プレイに含まれる編集画像等のアップロード数を１セットとしてカウントした値（プレイ回数）である。
かかるアップロード管理装置１８７は、ＩＣカードリーダライタ等から構成される。アップロード管理装置１８７は、アップロード回数（プレイ回数）をＩＣカードに記録する。また、ＩＣカードは、例えば、アップロード回数（プレイ回数）が所定数に達するまで使用可能とされている。この場合、アップロード管理装置１８７にＩＣカードが挿入されていないときには、アップロード管理装置１８７は、各制御装置１６０，１７０，１８０に停止信号を送信することで、各制御装置１６０，１７０，１８０を介して写真自販装置１０を使用不可とすることができる。
かかるＩＣカードは、写真自販装置１０の供給者が、遊戯場運営業者に使用料を課する際に用いられる。例えば、アップロード回数（プレイ回数）が所定数に達した場合、写真自販装置１０の供給者は、遊戯場運営業者にＩＣカードを新たに購入させるか、ＩＣカードのチャージを行わせることにより、使用料を課することができる。
したがって、写真自販装置１０によれば、編集画像を画像データとして利用者Ｕに提供する場合であっても、遊戯場運営業者に課する使用料を容易に算出することができる。
ＩＣカードは、使用可能なアップロード回数（プレイ回数）が予め記録されており、実際のアップロード回数（プレイ回数）に応じて、使用可能なアップロード回数（プレイ回数）の残り回数が減算されるように構成されていてもよい。
【００４８】
なお、上記の各制御装置が実行する所定のプログラムは、例えば、そのプログラムを記録した記録媒体であるＤＶＤ−ＲＯＭによって提供される。
すなわち、プログラムの記録媒体としてのＤＶＤ−ＲＯＭが補助記憶装置として制御装置に内蔵されたＤＶＤ−ＲＯＭの駆動装置に装着され、そのＤＶＤ−ＲＯＭからプログラムが読み出されて補助記憶装置としてのハードディスク装置にインストールされる。プログラムは、ＤＶＤ−ＲＯＭ以外の記録媒体（ＣＤ−ＲＯＭ等）や通信回線を介して提供されてもよい。
【００４９】
また、撮影制御装置１６０、編集制御装置１７０及び出力制御装置１８０は、いずれのユニット１３，１４，１５に内蔵されていてもよい。例えば、すべての制御装置が編集ユニット１４に内蔵されていてもよい。また、撮影ユニット１３、編集ユニット１４及び出力ユニット１５は、物理的に３つに分かれているが、これを１つ又は２つのユニットとして構成されていてもよい。また、撮影制御装置１６０、編集制御装置１７０及び出力制御装置１８０は、４つ以上のユニットにより構成されていてもよい。
【００５０】
［サーバの機能構成］
図９は、図１に示されるサーバ２０の機能構成を示すブロック図である。
サーバ２０は、ネットワークＮＷを介して写真自販装置１０からの画像データを受信するとともに、携帯端末３０からの要求に応じて画像データを携帯端末３０に送信する。このサーバ２０は、アップロード処理サーバ２０１と、ウェブサーバ２０２と、データベースサーバ２０３とから構成されている。本実施形態では、サーバ２０は、１つのコンピュータによって構成されている。
なお、アップロード処理サーバ２０１、ウェブサーバ２０２及びデータベースサーバ２０３は、複数のコンピュータから構成されていてもよい。この場合、これらの装置は、例えば、ＩＥＥＥ８０２．３に準拠するような所定のＬＡＮを介して相互に接続される。また、これらの装置の一部または全ては、専用のハードウェアであってもよいし、これらの機能を実現するためのソフトウェアがインストールされたコンピュータであってもよい。
【００５１】
アップロード処理サーバ２０１は、写真自販装置１０から受け取った画像データをその識別番号と関連付けて、データベースサーバ２０３に与える。データベースサーバ２０３は、アップロード処理サーバ２０１から受け取った画像データをその識別番号と関連付けて蓄積する。
【００５２】
また、ウェブサーバ２０２は、携帯端末３０から識別番号を伴って画像データのダウンロードの要求がなされときに、データベースサーバ２０３から該当する画像データを読み出し、携帯端末３０に送信する。
ウェブサーバ２０２は、データベースサーバ２０３に蓄積された画像データを読み出した後、この画像データを縮小した縮小画像データを生成して携帯端末３０に送信するように構成されていてもよい。
【００５３】
かかるサーバ２０は、編集画像のアップロードから所定期間（例えば、７日間）を経過した場合、携帯端末３０からのアクセスを拒否するようにされている。
【００５４】
［写真自動販売方法の処理手順］
つぎに、写真自販装置１０を用いた写真自動販売方法の処理手順を説明する。
ここでは、図１に示される写真自販装置１０を含む写真自動販売システム１を用いる場合を例として挙げて説明するが、本発明は、かかる例示のみに限定されるものではない。
【００５５】
（１）撮影処理
図１０は、撮影処理の手順を示すフローチャートである。
撮影処理が実行可能な状態になると、写真自販装置１０の撮影操作用のタッチパネル１２０に、デモ画像、コースを選択するためのボタン画像、コースについての説明画像等が表示される。
まず、利用者Ｕは、コースを選択する（ステップＳ１−１）。選択可能なコースとしては、例えば、３００円の遊戯料で、編集画像のアップロードのみを行うことができ（シングルモード）、かつ７日間のアップロード先へのアクセス権を有するコース、４００円の遊戯料で編集画像の写真シート等２枚の印刷及び編集画像のアップロードの双方を行うことができ（デュアルモード）、かつ７日間のアップロード先へのアクセス権を有するコースなどが挙げられる。
【００５６】
つぎに、利用者Ｕは、選択したコースに応じた額のコインをコイン投入口１２６に投入すると、撮影制御装置１６０は、プレイを開始する（ステップＳ１−２）。
【００５７】
その後、撮影制御装置１６０の課金管理装置は、選択されたコースに応じた額のコインが投入されたか否かを判定する（ステップＳ１−３）。
ステップＳ１−３では、撮影制御装置１６０は、判定の結果が肯定的であれば、処理をステップＳ１−４に進め、判定の結果が否定的であれば、処理をステップＳ１−２に戻す。
【００５８】
ステップＳ１−４では、撮影制御装置１６０は、利用者Ｕによる撮影モードの選択を受け付ける。
かかるステップＳ１−４では、例えば、画質（具体的には、「コントラストが高いくっきりとした画質」、「柔らかなふんわりとした画質」、及び「透明感のあるクールな画質」のうちのいずれか）の選択、明るさの選択、自動で撮影するか手動で撮影するかの選択、自動で撮影する場合には撮影用テーマの選択等が行われる。
この場合、撮影制御装置１６０は、予め用意された複数の撮影用テーマの中から１つ以上の撮影用テーマを利用者Ｕに選択させる画面をタッチパネル１２０に表示し、利用者Ｕによる選択操作を受け付けてもよい。撮影制御装置１６０は、利用者Ｕの選択操作に基づく情報を取得し、選択された撮影用テーマに基づいて、撮影画像に合成するフレームと背景との組み合わせを決定する。手動で撮影する場合は、フレームと背景を利用者Ｕが自由に決定する。
【００５９】
その後、ステップＳ１−５に進み、利用者Ｕの撮影が行われる。この撮影により、利用者Ｕを含む静止画である撮影画像（利用者Ｕの画像に背景やフレームが合成された合成画像を含む）の画像データが撮影制御装置１６０のメモリに格納される。
ステップＳ１−６では、撮影画像がタッチパネル１２０に表示される。ここでは、ステップＳ１−５での撮影が行われる度に、タッチパネル１２０の第２表示領域１２３に、編集対象の画像となる撮影画像が１枚ずつ順次追加されて表示される。
【００６０】
その後、撮影制御装置１６０は、予め定められた制限時間（例えば３分）が終了したか否かを判定する（ステップＳ１−７）。
ステップＳ１−７では、撮影制御装置１６０は、判定の結果、所定の制限時間が終了していれば、処理をステップＳ１−８に進め、所定の制限時間が終了していなければ、処理をステップＳ１−５に戻す。
【００６１】
ステップＳ１−８では、撮影制御装置１６０は、撮影された複数の撮影画像の画像データを、ＬＡＮ１９を通じて編集処理部１７に送信する。
【００６２】
なお、ステップＳ１−８において、編集対象とする画像を選択する作業を利用者Ｕに行わせてもよい。この場合、タッチパネル１２０に表示された撮影画像の中から、写り方が気に入った撮影画像を複数枚タッチさせて残すか、或いは逆に、撮影が失敗した撮影画像をタッチさせて消去させることにより、編集対象の画像を選択させればよい。
また、撮影制御装置１６０は、利用者Ｕによる上記入力により編集対象となった画像の画像データを、ＬＡＮ１９を通じて編集処理部１７に送信する。
【００６３】
ステップＳ１−８の終了後、撮影制御装置１６０は、処理をステップＳ１−９に進めて案内画面の表示を行う。具体的には、撮影制御装置１６０は、編集ユニット１４の２つのユニット１４ａ，１４ｂのうちのいずれかに利用者Ｕを誘導する画面を撮影操作用のタッチパネル１２０に表示する。
これにより、撮影処理が終了する。
【００６４】
（２）編集処理
図１１は、編集処理の手順を示すフローチャートである。
編集処理においては、編集制御装置１７０は、まず、ＬＡＮ１９を介して撮影制御装置１６０が送信した編集対象の画像を取得する（ステップＳ２−１）。
その後、編集制御装置１７０の内部のタイマーが所定時間（利用者Ｕに編集入力を許可する時間）に設定され、カウントダウンが開始される（ステップＳ２−２）。
【００６５】
タイマーのカウントダウン開始後、編集制御装置１７０は、利用者Ｕによるタッチパネル４００への落書き（描画）等の編集操作の入力を受け付ける（ステップＳ２−３）。
また、編集制御装置１７０は、編集処理の残り時間が６０秒になると、編集時間を延長するか否かを判定する（ステップＳ２−４）。この判定は、編集ユニット１４でプレイすべき後続の利用者Ｕが撮影ユニット１３で撮影処理を行っているか否かによって行われる。
【００６６】
編集制御装置１７０は、上記判定の結果が肯定的である場合は、処理をステップＳ２−５に進め、否定的である場合は、処理をステップＳ２−６に進める。
編集制御装置１７０は、ステップＳ２−５では、タイマーを所定の再設定時間（利用者Ｕに追加の編集入力を許可する時間）に設定される。この場合、タイマーによるカウントダウンが再度開始され、処理がステップＳ２−６に進む。
【００６７】
ステップＳ２−６において、編集制御装置１７０は、タイマーの再設定時間が０になるまで、利用者Ｕによるタッチパネル４００への落書き（描画）等の編集操作の入力を受け付ける。
その後、編集制御装置１７０は、タイマーの再設定時間が０になると、ＬＡＮ１９を通じて出力処理部１８に送信する。
【００６８】
その後、編集制御装置１７０は、処理をステップＳ２−７に進め、案内画面の表示を行う。例えば、編集制御装置１７０は、必要に応じて、利用者Ｕを出力ユニット１５に導くための画面を編集操作用のタッチパネル４００に表示する。
これにより、編集処理が終了する。
【００６９】
（３）出力処理
図１２は、出力処理の手順を示すフローチャートである。
出力処理においては、まず、出力制御装置１８０は、ＬＡＮ１９を介して編集制御装置１７０が送信した編集画像を取得する（Ｓ３−１）。
【００７０】
つぎに、ステップＳ３−２では、出力制御装置１８０は、外部装置としてのサーバ２０に、編集制御装置１７０から取得した編集画像の画像データをアップロードする。ここで、サーバ２０では、アップロードされた編集画像に識別情報が付与されるとともに、当該識別情報に応じて、画像データの所在場所の情報が作成される。
つぎに、出力制御装置１８０は、サーバ２０から、当該サーバ２０にアップロードされた編集画像の識別情報及び画像データの所在場所の情報を取得する（ステップＳ３−３）。
【００７１】
その後、出力制御装置１８０は、撮影処理のステップＳ１−２で選択されたコースに基づいて、プリンタ１８２に編集画像を印刷させるかどうかを判定する（Ｓ３−４）。判定は、ステップＳ１−２において選択されたコースが、編集画像の印刷を含むか否かによって行われる。
出力制御装置１８０は、上記判定の結果が肯定的である場合は、処理をステップＳ３−５に進め、否定的である場合は、処理をステップＳ３−６に進める。
【００７２】
ステップＳ３−５では、出力制御装置１８０は、プリンタ１８２に写真カード用紙への編集画像、編集画像の識別情報等の印刷を行わせる。
得られる写真カード５００には、図１３に示されるように、複数枚の編集画像５０１、編集画像をダウンロードする際のサイトのＵＲＬの情報５０２、そのＱＲコード（登録商標）５０３、識別情報５０４及びサイトへのアクセス可能期間の情報５０５が記載されている。
これにより、出力処理が終了する。
【００７３】
一方、ステップＳ３−６では、出力制御装置１８０は、編集画像の識別情報等をプリンタ１８２に印刷させる。
得られる印刷物６００には、図１４に示されるように、編集画像をダウンロードする際のサイトのＵＲＬの情報６０１、そのＱＲコード（登録商標）６０２、識別情報６０３及びサイトへのアクセス可能期間の情報６０４が記載されている。印刷物６００における印刷内容は、図１３に示された写真カード５００における印刷内容とは異なっており、かかる印刷物６００には、編集画像５０１は印刷されない。
これにより、出力処理が終了する。
【００７４】
（４）画像取得処理
図１５は、画像取得処理の手順を示すフローチャートである。
画像取得処理は、利用者Ｕによって、携帯端末３０上でダウンロード用の画像閲覧アプリケーションが起動されること（Ｓ５−１）によって開始される。この画像閲覧アプリケーションには、画像データの所在場所の情報が含まれている。
【００７５】
その後、利用者Ｕによって、携帯端末３０に識別番号が入力されると（Ｓ５−２）、携帯端末３０は、画像閲覧アプリケーションに含まれる画像データの所在場所の情報に基づいてサーバ２０にアクセスし、該当する画像データのダウンロードを要求する（Ｓ５−３）。
このとき、サーバ２０は、この要求を受け付け（Ｓ４−１）、識別番号が正しいか否かを判定する（Ｓ４−２）。
識別番号が正しくない場合、サーバ２０は、その旨を携帯端末３０に送信し、再度の識別番号の入力を促す（Ｓ５−２）。一方、識別番号が正しい場合、サーバ２０は、要求を認め、該当する画像のサムネイル画像を作成し、そのデータを携帯端末３０に送信する（Ｓ４−３）。
これにより、携帯端末３０のディスプレイには、サーバ２０から送信されたデータが、サムネイル画像として表示される（Ｓ５−４）。
【００７６】
つぎに、サムネイル画像のなかからダウンロードを希望する画像を選択すると（Ｓ５−５）、携帯端末３０からサーバ２０へ要求が送信され、サーバ２０で受け付けられる（Ｓ４−４）。
これにより、サーバ２０は、データベースサーバ２０３から対応する画像データを読み出し、携帯端末３０へ送信する（Ｓ４−５）。
その結果、携帯端末３０に画像がダウンロードされ、表示される（Ｓ５−６）。
【００７７】
なお、サーバ２０にアップロードされた画像は、利用者Ｕが携帯端末３０にインストールされたブラウザソフトに画像データの所在場所のＵＲＬ（図１３に示される写真カード５００の情報５０２又は図１４に示される印刷物６００の情報６０１）を入力することによって直接アクセスし、取得することもできる。
【００７８】
［変形例］
本発明においては、写真自販装置１０の出力制御装置１８０は、編集画像の識別情報及び／又は編集画像の画像データの所在場所の情報を、非接触通信装置１８４（図７の通信ポート１３１に対応）に出力させるものであってもよい。
かかる変形例では、出力制御装置１８０は、まず、利用者Ｕの入力操作を受け付けるための操作画面をタッチパネル１８１（図７のタッチパネル１３０に対応）に表示させる。その後、出力制御装置１８０は、タッチパネル１８１に入力された操作信号に基づいて、利用者Ｕの携帯端末に、編集画像の識別情報及び／又は編集画像の画像データの所在場所の情報を送信するように、非接触通信装置１８４（図７の通信ポート１３１に対応）に対して指示を出す。これらの情報は、非接触通信装置１８４から赤外線信号として利用者Ｕの携帯端末３０に直接送信される。
また、出力制御装置１８０は、前記情報を、ネットワークアダプタ１８５を介してメールによって利用者Ｕの携帯端末３０に送信するものであってもよい。
【００７９】
また、本発明においては、写真自販装置１０の編集制御装置１７０が画像データに対して識別情報を付与することができる。これにより、編集制御装置１７０が、当該識別情報に基づいて、編集画像の画像データの所在場所の情報を作成することもできる。ここでは、出力制御装置１８０が、識別情報等をサーバ２０に送信し、かつサーバ２０が、メールで利用者Ｕの携帯端末３０に識別情報等を送信するようにしてもよい。
この場合、識別情報は、例えば、写真自販装置１０の製造時に割り当てられた固有の識別番号、アップロード又は送信が行われる毎（プレイが行われる毎）に付されるユニークな番号等に基づいて、編集制御装置１７０によって作成される。そして、編集制御装置１７０は、編集画像とともにその識別情報を、ＬＡＮ１９を通じて出力処理部１８に送信する。
かかる変形例では、出力処理において、出力制御装置１８０は、まず、図１６に示されるように、ＬＡＮ１９を介して編集制御装置１７０が送信した編集画像及びその識別情報を取得する（Ｓ６−１）。
その後のステップＳ６−２〜Ｓ６−５は、図１２に示されるフローチャートにおいて、サーバ２０からの画像の識別情報等の取得ステップ（図１２のステップＳ３−３）が行われないことを除き、図１２に示されるフローチャートと同様に進行する。具体的には、かかるステップＳ６−２〜Ｓ６−５は、ステップＳ３−２、Ｓ３−４〜Ｓ３−６と同様である。
なお、本変形例では、編集制御装置１７０が識別情報等を作成しているが、写真自販装置１０の撮影制御装置１６０又は出力制御装置１８０が識別情報等を作成することもできる。
【００８０】
出力制御装置１８０は、非接触通信装置１８４（図７の通信ポート１３１に対応）を介して、画像データを、外部装置としての携帯端末３０に直接送信することもできる。この場合、利用者Ｕは、画像データの識別情報等がなくても画像を取得することができる。したがって、上記した写真カード５００等を利用者Ｕに提供しなくてもよく、しかも、利用者Ｕが画像を取得するために面倒な操作を行わなくてもよい。
【００８１】
さらに、本発明においては、出力制御装置１８０は、撮影画像をサーバ２０にアップロードしたり、携帯端末３０に送信したりするものであってもよい。ここでは、出力制御装置１８０がアップロード対象又は送信対象の撮影画像を取得し、サーバ２０又は携帯端末３０に送信する。
この場合、編集制御装置１７０が、撮影制御装置１６０から受信した撮影画像を、ネットワークアダプタ１６４を介して出力処理部１８の出力制御装置１８０に送信してもよく、撮影制御装置１６０が、撮影画像を、ネットワークアダプタ１６４を介して出力処理部１８の出力制御装置１８０に送信してもよい。
【００８２】
また、本発明においては、出力処理において、編集画像を写真シールとして出力する場合、編集処理において、編集操作の受付後に、分割パターンの選択を行うことができる。かかる分割パターンは、写真シール用紙を所定数の領域に分割し、分割された領域のどこに編集画像を配置するかを示すものである。
【００８３】
さらに、前記実施形態では、コースは、対価の額に応じて設定されているが、例えば、対価が同額で、プレイ内容が異なる複数種類のコースが設定されていてもよい。かかるコースとしては、例えば、遊戯料が４００円であり、かつ編集画像のアップロードのみを行い、アップロードされたサイトへのアクセス可能期間が、上記実施形態よりも長い１ヶ月であるコース（アップロードモード）、遊戯料が４００円であり、かつ編集画像２枚の印刷のみを行うコース（プリントモード）などが挙げられる。
この場合、サーバ２０は、編集画像がアップロードされた〔「アップロード日」（又は「アップロード日時」）〕からの経過期間を管理する。そして、サーバ２０は、アップロード日（又はアップロード日時）から所定期間を経過していないかどうかを確認する。
所定期間を経過していない場合、サーバ２０は、アップロードされたすべての編集画像に対する携帯端末３０からのアクセス及び携帯端末３０へのダウンロードを許可する（すべての画像を携帯端末３０から閲覧可能にする）。
所定期間を経過している場合、サーバ２０は、アップロードされたすべての編集画像のうちの所定の画像又はすべての編集画像に対する携帯端末３０からのアクセスを禁止する。なお、サーバ２０は、利用者Ｕが、所定期間の編集画像へのアクセス及びそのダウンロードが可能な有料サービス等の料金を支払った場合等に、携帯端末３０からの編集画像へのアクセス及びそのダウンロードの禁止を解除するように構成されていてもよい。
かかる変形例に係る写真自販装置１０によれば、利用者Ｕに、すべての編集画像に対する一定期間のアクセスを許可することができるので、例えば、気に入った画像の有無等を判断材料として利用者Ｕに提供し、有料サービスの購入等を利用者に促すことができる。
【００８４】
また、前記実施形態においては、写真自販装置１０は、印刷手段として１つのネットワークプリンタ１８２を有しているが、複数のネットワークプリンタを有していてもよい。写真カード５００（図１３参照）及び印刷物６００（図１４参照）の両者をネットワークプリンタ１８２で印刷させてもよく、それぞれを、異なるネットワークプリンタで印刷させてもよい。
【００８５】
また、本発明においては、前述のアップロード管理装置１８７の代わりに、ＩＣカード、又は運営業者が記憶情報等を変更することができないようにセキュリティが設定された外部若しくは内部記憶装置等を用いてアップロードを管理することもできる。この場合、例えば、運営業者による使用料の支払いに応じてアップロード可能な回数を増加させるための情報を、ネットワークＮＷを介してサーバ２０等の外部装置からダウンロードして前記ＩＣカード又は記憶装置等に記憶させることができる。そして、かかる情報に基づいて、アップロードが管理される。なお、ここでは、アップロード可能な回数は、使用料の額に応じて決定される。
【００８６】
さらに、本発明においては、写真自動販売システム１は、複数台の写真自販装置１０を有していてもよい。この場合、サーバ２０は、複数台の写真自販装置１０からアップロードされる編集画像の画像データを記憶する。かかる変形例においては、アップロード回数をサーバ２０で管理する場合、すべての写真自販装置１０におけるアップロード回数を集中管理することができる。これにより、例えば、アップロード可能な回数が「０」に近付いたすべての写真自販装置１０を検出し、検出された写真自販装置１０を所有する運営業者に対し、使用料の支払いを要求するメッセージを通知することもできる。
【００８７】
また、写真自販装置１０が有するサーバ２０への撮影画像又は編集画像のアップロードに関する機能をサーバ２０自身に持たせることもできる。この場合、サーバ２０がすべての写真自販装置１０のアップロードの管理を直接行うことができる。
【符号の説明】
【００８８】
１０  写真自販装置
２０  サーバ
３０  携帯端末
１１０  カメラ
１２０  タッチパネル
１３５  ネットワークプリンタ
１６０  撮影制御装置
１６１  カメラ
１６２  タッチパネル
１７０  編集制御装置
１７１  タッチパネル
１７２  タッチパネル
１８０  出力制御装置
１８１  タッチパネル
１８２  プリンタ
１８６  課金装置
１８７  アップロード管理装置
ＮＷ  ネットワーク
【図１】
2013106257.tif 000003
【図２】
2013106257.tif 000004
【図３】
2013106257.tif 000005
【図４】
2013106257.tif 000006
【図５】
2013106257.tif 000007
【図６】
2013106257.tif 000008
【図７】
2013106257.tif 000009
【図８】
2013106257.tif 000010
【図９】
2013106257.tif 000011
【図１０】
2013106257.tif 000012
【図１１】
2013106257.tif 000013
【図１２】
2013106257.tif 000014
【図１３】
2013106257.tif 000015
【図１４】
2013106257.tif 000016
【図１５】
2013106257.tif 000017
【図１６】
2013106257.tif 000018